(57)【要約】【課題】無線タグの面がアンテナの中央付近で搬送路面に平行となる場合を除いて、他のいずれの方向に向いていても、無線タグの情報の読み取り、又は書き込みが可能となり、無線タグとの交信ができなくなるというケースを大幅に軽減することができ、もって信頼性の高いタグ情報管理装置及びタグ情報管理用アンテナを提供する。【解決手段】搬送ライン２を囲むように設けられるループアンテナ１ａ，１ｂを有し、ループアンテナ１ａ，１ｂにより発生される磁界を用いて、搬送ライン２により搬送される物品に付されたタグの情報を読み取り、又はタグに情報を書き込むタグ情報管理装置において、ループアンテナ１ａ，１ｂはそのループ面が搬送ライン２の搬送方向に対して約４５度の角度を有するように傾斜して設けられる。【選択図】        図５
2004192222.tif 000002
【特許請求の範囲】
【請求項１】
搬送ラインにより搬送される物品がくぐりぬけるようにループアンテナを設け、前記ループアンテナにより発生される磁界を用いて、前記搬送ラインにより搬送される物品に付されたタグの情報を読み取り、又はタグに情報を書き込むタグ情報管理装置において、
前記ループアンテナはそのループ面が搬送ラインの搬送方向に対して所定の角度を有するように傾斜して設けられることを特徴とするタグ情報管理装置。
【請求項２】
搬送ラインにより搬送される物品がくぐりぬけるようにループアンテナを設け、前記ループアンテナにより発生される磁界を用いて、前記搬送ラインにより搬送される物品に付されたタグの情報を読み取り、又はタグに情報を書き込むタグ情報管理装置において、
前記ループアンテナは前記搬送ラインの搬送方向に間隔をあけて少なくとも二つ設けられ、且つ二つのループアンテナの前記間隔が搬送ラインの両側部において異なることを特徴とするタグ情報管理装置。
【請求項３】
請求項２に記載のタグ情報管理装置において、
前記二つのループアンテナの間隔の小さな方が所定の距離を有することを特徴とするタグ情報管理装置。
【請求項４】
請求項１乃至請求項３のいずれかに記載のタグ情報管理装置において、
前記ループアンテナのループ面は前記搬送方向に対して約４５度の傾き又は約１３５度の傾きを有することを特徴とするタグ情報管理装置。
【請求項５】
搬送ラインにより搬送される物品がくぐりぬけるように設けられるループアンテナを有するタグ情報管理用アンテナであって、
前記搬送ラインの搬送方向に間隔をあけて少なくとも二つのループアンテナを備え、且つ二つのループアンテナの前記間隔が搬送ラインの両側部において異なることを特徴とするタグ情報管理用アンテナ。
【発明の詳細な説明】
【０００１】
【発明の属する技術分野】
本発明は、搬送ラインにより搬送される物品がくぐりぬけるようにループアンテナを設け、前記ループアンテナにより発生される磁界を用いて、前記搬送ラインにより搬送される物品に付されたタグの情報を読み取り、又はタグに情報を書き込むタグ情報管理装置及びタグ情報管理用アンテナに関するものである。
【０００２】
【従来の技術】
従来より、搬送ラインにより搬送される物品に無線タグを取り付け、ループアンテナにより、無線タグの情報を読み取り、或いは書き込むようにしたタグ情報管理装置が知られる。このループアンテナ１は図７に示すように、搬送ライン２に対してループ面が直交するように設けられて、このループアンテナ１を潜るように搬送される物品３に付された無線タグ４（４ａ，４ｂ）の情報を読み取り、或いは無線タグ４に情報を書き込む（交信を行う）。このようなループアンテナ１によれば、搬送ライン２の中央付近では、搬送方向に向く磁界が発生され、このループ面に対し、無線タグの面（即ちタグに設けられるタグ用ループアンテナのループ面）が平行となるように物品３が搬送される場合（無線タグ４ａの場合）は、高い信頼性で無線タグ４と交信を行うことができる。
【０００３】
しかしながら、物品に付された無線タグの面がタグ情報管理装置のループアンテナの中央付近でループ面と直交するように物品が搬送されてきた場合（無線タグ４ｂの場合）は、図８のようにループアンテナの発生する磁界Ｈ方向がタグの面と同一方向となり、タグ用ループアンテナがタグ情報管理装置のループアンテナ１から発生される磁界と鎖交し難くなり、特に無線タグが搬送ラインの中央に位置するような場合は、読み取り又は書き込み不能となる場合がある。また、物品３に付された無線タグ４の面が搬送ラインの面と平行となる場合（４ｃの場合）も上記と同様に読み取り又は書き込み不能となる場合がある。
【０００４】
そこで、この問題点を解決するために、本発明とは構造の全く異なる下記特許文献が知られる。
【０００５】
【特許文献１】
特開２００２−２７９３６２号公報（第２−３頁、図１）
【０００６】
【発明が解決しようとする課題】
本発明は、上述した問題点を解決するため、無線タグの面がアンテナの中央付近で搬送路面に平行となる場合を除いて、他のいずれの方向に向いていても、無線タグの情報の読み取り、又は書き込みが可能となり、無線タグとの交信ができなくなるというケースを大幅に軽減することができ、もって信頼性の高いタグ情報管理装置及びタグ情報管理用アンテナを提供することを目的とする。
【０００７】
【課題を解決するための手段】
上述した課題を解決するため、本発明は、搬送ラインにより搬送される物品がくぐりぬけるようにループアンテナを設け、前記ループアンテナにより発生される磁界を用いて、前記搬送ラインにより搬送される物品に付されたタグの情報を読み取り、又はタグに情報を書き込むタグ情報管理装置において、前記ループアンテナはそのループ面が搬送ラインの搬送方向に対して所定の角度を有するように傾斜して設けられることを特徴とするものである。
【０００８】
また、本発明は、搬送ラインにより搬送される物品がくぐりぬけるようにループアンテナを設け、前記ループアンテナにより発生される磁界を用いて、前記搬送ラインにより搬送される物品に付されたタグの情報を読み取り、又はタグに情報を書き込むタグ情報管理装置において、前記ループアンテナは前記搬送ラインの搬送方向に間隔をあけて少なくとも二つ設けられ、且つ二つのループアンテナの前記間隔が搬送ラインの両側部において異なることを特徴とするものである。
【０００９】
また、本発明のタグ情報管理装置において、前記二つのループアンテナの間隔の小さな方が所定の距離を有することを特徴とするものである。
【００１０】
また、本発明のタグ情報管理装置において、前記ループアンテナのループ面は前記搬送方向に対して約４５度の傾き又は約１３５度の傾きを有することを特徴とするものである。
【００１１】
また、本発明は、搬送ラインにより搬送される物品がくぐりぬけるように設けられたループアンテナを有するタグ情報管理用アンテナであって、前記搬送ラインの搬送方向に間隔をあけて少なくとも二つのループアンテナを備え、且つ二つのループアンテナの前記間隔が搬送ラインの両側部において異なることを特徴とするものである。
【００１２】
【発明の実施の形態】
以下、本発明の実施の形態を図面を用いて説明する。
実施の形態１．
図１は実施の形態１におけるタグ情報管理装置の全体構成を示す図、図２は搬送ラインの上方からタグ情報管理用アンテナを見た平面図、図３は動作を説明する図である。
実施の形態１におけるタグ情報管理装置は、タグ情報管理用アンテナ１と、タグ情報管理用アンテナ１に接続され、無線タグ４の情報を読み取り、或いは無線タグ４に情報を書き込むリードライト装置５と、リードライト装置５と接続され、リードライト装置５を制御、管理するＰＣ６とを備えて構成される。
タグ情報管理用アンテナ１は、搬送ラインを囲むように設けられるループアンテナ（トンネル型ループアンテナ）１ａにより構成され、そのループアンテナのループ面が搬送ラインの搬送方向に対して約４５度の角度を有するように傾斜して設けられる。なお、搬送ラインを囲むように設けられるループアンテナについては、その下部は、搬送ラインを構成するベルトコンベアの上側と下側のベルト間を通されるか、又はベルトコンベア全体の下側を通されるかのいずれでも良い。これによりベルト上を搬送される物品（荷物等）はループアンテナをくぐり抜けるように搬送される。
【００１３】
この構成によれば、図３に示すように無線タグの面が搬送面に直角で搬送方向に平行となるように、搬送されて来たとしても、無線タグのループアンテナと鎖交する磁界成分があり、無線タグ４との交信を行うことが可能となる。なお、トンネル型ループアンテナの中央付近でループ面と無線タグの面が垂直で搬送方向に平行となる場合は磁界が鎖交し難く、交信ができなくなる虞があるが、無線タグがそのような角度を有するように物品が搬送される虞は少なく、従って、そのような原因により交信ができなくなる虞は非常に少ない。
【００１４】
実施の形態２．
図４は本発明の実施の形態２におけるタグ情報管理装置の全体構成を示す図、図５は搬送ラインの上方からタグ情報管理用アンテナを見た平面図、図６は実施の形態２の動作を説明する図である。
実施の形態２のタグ情報管理装置は、タグ情報管理用アンテナ１Ａと、タグ情報管理用アンテナ１Ａに接続され、各アンテナ１ａ，１ｂに電力を供給する分配合成器７と、分配合成器７を介して無線タグの情報を読み取り、或いは無線タグに情報を書き込むリードライト装置５と、リードライト装置５と接続され、リードライト装置を制御、管理するＰＣ６とを備えて構成される。
タグ情報管理用アンテナ１Ａは、搬送ライン２を囲むように設けられる二つのループアンテナ１ａ，１ｂから構成される。二つのループアンテナ１ａ，１ｂは搬送方向に間隔を有して設けられ、それらのループ面が互いに非平行であり、従って、二つのループアンテナの間隔は、搬送ラインの一方の側部に沿う間隔Ｌ１と搬送ラインの他方の側部に沿う間隔Ｌ２とが異なっている。また、このＬ１，Ｌ２のいずれか小さい方の間隔は、所定の距離を有することで、ループアンテナ１ａ，１ｂが互いに干渉を与えないものである。
【００１５】
実施の形態においては、二つのループアンテナのループ面は搬送ラインに対して約４５度の角度を有し、互いのループ面が約９０度の角度をなしている。
【００１６】
以上の構成によれば、図６に示すように、物品に付され、物品と共に搬送される無線タグ４のタグ面がいずれか一方のループアンテナ１ｂの中央付近でループ面と直交するような場合は必ず他方のループアンテナ１ａループ面と平行となり、他方のループアンテナ１ａにより確実に交信を行うことが可能となる。また、実施の形態によれば、従来の搬送ライン２の搬送方向に対してループ面が直交する場合に比して、交信範囲を搬送方向に拡大することができ、高速で搬送が行われても、その書き込み、読み取りの時間を十分確保することができ、従って本実施の形態によれば、搬送の高速化に対応可能となり、搬送及びそのタグ情報管理の効率化を図ることが可能となる。
【００１７】
【発明の効果】
上述したように、本発明によれば、無線タグの面がアンテナの中央付近で搬送路面に平行となる場合を除いて、他のいずれの方向に向いていても、無線タグの情報の読み取り、又は書き込みが可能となり、無線タグとの交信ができなくなるというケースを大幅に軽減することができ、もって信頼性の高いタグ情報管理装置及びタグ情報管理用アンテナを提供することができるという効果を奏する。
【図面の簡単な説明】
【図１】本発明の実施の形態１におけるタグ情報管理装置の全体構成を示す図である。
【図２】実施の形態１のタグ情報管理装置を搬送ライン上方より見た平面図である。
【図３】実施の形態１の動作を説明する図である。
【図４】実施の形態２のタグ情報管理装置の全体構成を示す図である。
【図５】実施の形態２のタグ情報管理装置を搬送ライン上方より見た平面図である。
【図６】実施の形態２の動作を示す図である。
【図７】従来のタグ情報管理装置の一例を示す全体構成図である。
【図８】従来のタグ情報管理装置の問題点を説明するための図である。
【符号の説明】
１  タグ情報管理用アンテナ、１ａ，１ｂ  ループアンテナ（トンネル型アンテナ）、２  搬送ライン、３  物品、４  無線タグ。
【図１】
2004192222.tif 000003
【図２】
2004192222.tif 000004
【図３】
2004192222.tif 000005
【図４】
2004192222.tif 000006
【図５】
2004192222.tif 000007
【図６】
2004192222.tif 000008
【図７】
2004192222.tif 000009
【図８】
2004192222.tif 000010